【手続補正書】
【提出日】平成27年5月18日(2015.5.18)
【手続補正１】
【補正対象書類名】明細書
【補正対象項目名】発明の名称
【補正方法】変更
【補正の内容】
【発明の名称】音響処理装置、音響処理方法
【手続補正２】
【補正対象書類名】明細書
【補正対象項目名】０００１
【補正方法】変更
【補正の内容】
【０００１】
本発明は音響処理技術に関するものである。
【手続補正３】
【補正対象書類名】明細書
【補正対象項目名】００１２
【補正方法】変更
【補正の内容】
【００１２】
立体的な音響を再生するためには、図１１に示す如く、点線であらわされたクロストークを打ち消す為に、上記式（２）のＡの逆行列を信号に畳み込んで左スピーカ１５Ｌ、右スピーカ１５Ｒから発音し、キャンセルする必要がある（特許文献１）。
【手続補正４】
【補正対象書類名】明細書
【補正対象項目名】００１５
【補正方法】変更
【補正の内容】
【００１５】
本発明はこのような問題に鑑みてなされたものであり、リスニング環境に応じた、複数のチャネルの音響信号処理を実現することを目的とする。
【手続補正５】
【補正対象書類名】明細書
【補正対象項目名】００１６
【補正方法】変更
【補正の内容】
【００１６】
本発明の目的を達成するために、例えば、本発明の音響処理装置は、音響処理装置であって、
複数チャネルの音信号を第１出力部に出力させる第１制御手段と、
収音する第１収音部及び第２収音部の夫々の収音結果を取得する取得手段と、
前記第１出力部から音信号が出力されている際の前記第１収音部による収音結果に基づいて、前記第１出力部により出力される前記複数チャネルのうちの第１チャネルの音信号を打ち消すための信号を、前記第１出力部とは異なる第２出力部に出力させ、前記第１出力部から音信号が出力されている際の前記第２収音部による収音結果に基づいて、前記第１出力部により出力される前記複数チャネルのうちの第２チャネルの音信号を打ち消すための信号を、前記第１出力部とは異なる第３出力部に出力させる第２制御手段と
を有することを特徴とする。
【手続補正６】
【補正対象書類名】明細書
【補正対象項目名】００１７
【補正方法】変更
【補正の内容】
【００１７】
本発明の構成によれば、リスニング環境に応じた、複数のチャネルの音響信号処理を実現することができる。
【手続補正７】
【補正対象書類名】明細書
【補正対象項目名】００６８
【補正方法】変更
【補正の内容】
【００６８】
ＸＲ＝（Ｌ＿ＲＬ２−Ｌ＿ＲＲ２）／２×Ｌ＿ＳＰ
ＹＲ＝ＳＱＲＴ（（Ｌ＿ＳＰ／２＋ＸＲ）２−Ｌ＿ＲＲ２）
ここで、各スピーカ−マイク間の距離測定は、たとえば、測定用信号として、可聴周波数範囲外のバースト波などをスピーカから発音して、マイクで集音されるまでの時間を到達時間として計測するなどして、測る事が出来る。空気中の音波の伝播スピードＶａは約３４０ｍ／ｓｅｃであるので、計測時間にこの速度を乗ずる事で、スピーカ−マイク間の距離を測定することが出来る。
【手続補正８】
【補正対象書類名】特許請求の範囲
【補正対象項目名】全文
【補正方法】変更
【補正の内容】
【特許請求の範囲】
【請求項１】
音響処理装置であって、
複数チャネルの音信号を第１出力部に出力させる第１制御手段と、
収音する第１収音部及び第２収音部の夫々の収音結果を取得する取得手段と、
前記第１出力部から音信号が出力されている際の前記第１収音部による収音結果に基づいて、前記第１出力部により出力される前記複数チャネルのうちの第１チャネルの音信号を打ち消すための信号を、前記第１出力部とは異なる第２出力部に出力させ、前記第１出力部から音信号が出力されている際の前記第２収音部による収音結果に基づいて、前記第１出力部により出力される前記複数チャネルのうちの第２チャネルの音信号を打ち消すための信号を、前記第１出力部とは異なる第３出力部に出力させる第２制御手段と
を有することを特徴とする音響処理装置。
【請求項２】
更に、
前記第１出力部と前記第１収音部との間の第１伝達関数を、前記第１出力部から音信号が出力されている際の前記第１収音部による収音結果に基づいて取得し、前記第１出力部と前記第２収音部との間の第２伝達関数を、前記第１出力部から音信号が出力されている際の前記第２収音部による収音結果に基づいて取得する手段を備え、
前記第２制御手段は、前記第１伝達関数に基づいて、前記第１出力部により出力される前記複数チャネルのうちの前記第１チャネルの音信号を打ち消すための信号を前記第２出力部に出力させ、前記第２伝達関数に基づいて、前記第１出力部により出力される前記複数チャネルのうちの前記第２チャネルの音信号を打ち消すための信号を前記第３出力部に出力させることを特徴とする請求項１に記載の音響処理装置。
【請求項３】
前記第１伝達関数は、前記第１出力部から出力されて前記第１収音部により収音されたインパルス応答信号に基づき、
前記第２伝達関数は、前記第１出力部から出力されて前記第２収音部により収音されたインパルス応答信号に基づくことを特徴とする請求項２に記載の音響処理装置。
【請求項４】
前記第２制御手段は、前記第１チャネルの音信号と逆位相の信号を前記第２出力部に出力させ、前記第２チャネルの音信号と逆位相の信号を前記第３出力部に出力させることを特徴とする請求項１乃至３の何れか１項に記載の音響処理装置。
【請求項５】
前記第１収音部は、前記第２出力部に取り付けられ、
前記第２収音部は、前記第３出力部に取り付けられることを特徴とする請求項１乃至４の何れか１項に記載の音響処理装置。
【請求項６】
前記第１出力部は、前記複数チャネルの音信号においてそれぞれのチャネルの音信号を出力する複数のスピーカであることを特徴とする請求項１乃至５の何れか１項に記載の音響処理装置。
【請求項７】
前記第１出力部は、前記複数チャネルの音信号を出力する単体のスピーカであることを特徴とする請求項１乃至５の何れか１項に記載の音響処理装置。
【請求項８】
前記第１制御手段が前記第１出力部に出力させる前記複数チャネルの音信号は、バイノーラル信号であることを特徴とする請求項１乃至７の何れか１項に記載の音響処理装置。
【請求項９】
前記第２制御手段は、前記第２出力部の位置に応じて、該第２出力部に出力させる音信号を制御し、前記第３出力部の位置に応じて、該第３出力部に出力させる音信号を制御することを特徴とする請求項１乃至８の何れか１項に記載の音響処理装置。
【請求項１０】
更に、
再生モード、測定モードの何れかを設定する手段を備え、
前記第２制御手段は、前記測定モードにおいて前記第１出力部から音信号が出力されている際の前記第１収音部による収音結果に基づいて、前記再生モードにおいて前記第１出力部により出力される前記第１チャネルの音信号を打ち消すための信号を前記第２出力部に出力させ、
前記測定モードにおいて前記第１出力部から音信号が出力されている際の前記第２収音部による収音結果に基づいて、前記再生モードにおいて前記第１出力部により出力される前記第２チャネルの音信号を打ち消すための信号を前記第３出力部に出力させることを特徴とする請求項１乃至９のいずれか１項に記載の音響処理装置。
【請求項１１】
前記第２出力部及び前記第３出力部は、骨伝導ヘッドフォンであることを特徴とする請求項１乃至１０の何れか１項に記載の音響処理装置。
【請求項１２】
前記第２出力部及び前記第３出力部は、フルオープンタイプのヘッドフォンであることを特徴とする請求項１乃至１０の何れか１項に記載の音響処理装置。
【請求項１３】
前記第２出力部は、リスナの左耳用であり、
前記第３出力部は、リスナの右耳用であることを特徴とする請求項１１又は１２に記載の音響処理装置。
【請求項１４】
前記第１制御手段は、前記第１チャネルの音信号として右耳用の音信号、前記第２チャネルの音信号として左耳用の音信号、を前記第１出力部に出力させ、
前記第２制御手段は、前記第１チャネルの音信号である右耳用の音信号を打ち消すための信号を前記第２出力部に出力させ、前記第２チャネルの音信号である左耳用の音信号を打ち消すための信号を前記第３出力部に出力させることを特徴とする請求項１乃至１３の何れか１項に記載の音響処理装置。
【請求項１５】
前記第２制御手段は、前記２チャネルの音信号を打ち消すための信号を前記第２出力部に出力させず、前記第１チャネルの音信号を打ち消すための信号を前記第３出力部に出力させないことを特徴とする請求項１乃至１４の何れか１項に記載の音響処理装置。
【請求項１６】
音響処理方法であって、
第１出力部から音信号が出力されている際の第１収音部による収音結果に基づいて、前記第１出力部により出力される複数チャネルのうちの第１チャネルの音信号を打ち消すための信号を、前記第１出力部とは異なる第２出力部に出力させ、前記第１出力部から音信号が出力されている際の第２収音部による収音結果に基づいて、前記第１出力部により出力される前記複数チャネルのうちの第２チャネルの音信号を打ち消すための信号を、前記第１出力部とは異なる第３出力部に出力させることを特徴とする音響処理方法。
【請求項１７】
コンピュータを、請求項１乃至１５の何れか１項に記載の音響処理装置の各手段として機能させるためのコンピュータプログラム。